(57)【特許請求の範囲】
【請求項１】
両隣の歯牙との隙間に挿入され、弾性力で歯牙を把持するＣ字型の帯状材からなる基部と、該基部に取り付けられた保持部と、該保持部に取り付けられた取付台とを有し、該取付台に取り付けられた歯科用治療器具類が口腔内の目的位置に対して所望の位置関係に調整可能であることを特徴とする歯科用治療器具類の固定装置。
【請求項２】
両隣の歯牙との隙間に挿入され、弾性力で歯牙を把持するＣ字型の帯状材からなる基部と、該基部に取り付けられた保持部とを有し、前記保持部が、柱部と、該柱部に対してほぼ直角に取り付けられたアームとを有し、該アームに取り付けられたピニオンと、前記柱部に形成されたラックとの噛み合いで前記アームが前記柱部を進退自在に移動可能であり、前記アームに歯科用治療器具類が取り付け可能であることを特徴とする歯科用治療器具類の固定装置。
【請求項３】
歯牙の上を覆う板状の本体部と、該本体部と一体的に形成され、歯牙を両側方から弾性挟持する弾性片とからなる基部と、前記本体部に穿設され、本体部が取り付けられた歯牙を治療するための孔と、前記基部に取り付けられた保持部と、該保持部に取り付けられた取付台とを有し、該取付台に取り付けられた歯科用治療器具類が口腔内の目的位置に対して所望の位置関係に調整可能であることを特徴とする歯科用治療器具類の固定装置。
【請求項４】
前記保持部が、前記基部の両側の弾性片に取り付けられ、前記歯科用治療器具類が前記両側の保持部で支持可能なことを特徴とする請求項３記載の歯科用治療器具類の固定装置。
【請求項５】
前記基部と保持部又は保持部と治療器具類の結合部を、あり溝とありキー、四角形の突起と凹部との嵌合、だぼピン等のいずれかによる結合としたことを特徴とする請求項１から４のいずれかに記載の歯科用治療器具類の固定装置。
【請求項６】
前記保持部を複数設け、前記歯科用治療器具類を複数取り付け可能にしたことを特徴とする請求項１から５のいずれかに記載の歯科用治療器具類の固定装置。
【発明の詳細な説明】
【０００１】
【発明が属する技術分野】
本発明は、口腔内の治療をする際に使用する歯科用治療器具や、検査に使用するファイバースコープなどの器具類を口腔内の目的とする位置に対して保持する装置に関する。
【０００２】
【従来の技術】
歯の治療の際には、歯牙を削るためにダイヤバー等の研削器具を使ったり、根管を形成するために、ファイルやリーマといった切削器具類を使用する。また、インプラント等の人工歯根の形成のために、顎の骨に穴を穿設するが、この作業にはドリルを使用する。
【０００３】
一方、口腔内における各種の歯科医療行為においては、治療部位などの目的箇所の目視による確認が困難な場合もあり、ファイバースコープ等を手で保持して治療部位等に近づけて、モニター画面で観察する、といったことや、口腔内にたまった唾液や切削屑、血液をドレンパイプで吸引するといったことも行われている。
【０００４】
このようなダイヤバー、ファイル、リーマ等の切削や研削のための器具、ファイバースコープなどの観察用器具類、ドレンパイプ等を含めて、ここでは歯科用治療器具類ということにするが、これらの器具類は、通常、歯科医もしくは助手が手に持って、治療箇所に当てて、研削や切削し、あるいは、手に持ったファイバースコープで観察している。
【０００５】
【発明が解決しようとする課題】
しかしながら、このように歯科用治療器具類を手で把持して操作するには、かなりの熟練を必要とする。というのは、口腔内は狭く、治療箇所に正確に器具類を保持するのは容易ではないからである。また、ファイバースコープを手に持つと、モニター画面が手の揺れに伴って揺れ、見にくくなるので、さらなる熟練が必要となる。
【０００６】
本発明は、このような事実から考えられたもので、熟練を要せずに、口腔内の歯牙等の治療箇所に対して正確な位置に安定して歯科用治療器具類を保持又は固定できる装置を提供することを目的としている。
【０００７】
【課題を解決するための手段】
上記の目的を達成するために本発明の歯科用治療器具類の固定装置は、基部と、該基部に形成されて歯科用治療器具類を保持する保持部とを有し、該保持部に保持された歯科用治療器具類が口腔内の目的位置に対して一定の位置関係に固定可能としたことを特徴としている。
上記基部は、頭部、顔部、顎部、歯牙、治療台のいずれか1箇所以上によって固定されることが好ましい。
【０００８】
また、上記固定装置に、器具の移動又は治療時の負荷に耐える剛性を持たせ、上記歯科用治療器具類が口腔内の目的位置に対して距離、角度を調整可能に固定する構成としても良く、一定距離の軌跡上を移動可能に固定した構成としても良い。一つの基部に複数の保持部を設け、複数の治療器具を取付けられる構成としても良いし、一つの治療器具を複数の固定装置によって固定しても良い。
【０００９】
さらに、上記基部が、歯牙を側方から弾性挟持する構成や、歯牙の上部に被さる本体部に歯牙を側方から弾性挟持する弾性片を設けた構成や、頭部に鉢巻き状に巻回して固定する構成や、ベッド、ヘッドレスト、アームレスト、照明台等を含む治療台に設けられ、治療台に対して治療器具類を所定の位置に保持する構成とすることができる。
【００１０】
【発明の実施の形態】
以下に本発明の実施例を図面によって説明する。図１は本発明の第１実施例を示す図である。同図において、１は口腔内の歯牙で、２は歯科用治療器具類の保持装置の基部である。基部２は図１（ｂ）に示すように先端側に開口２ａを形成するようにＣ字型に湾曲させた帯状材から構成されている。帯状材としては、強度の確保から金属板が望ましく、特に、ステンレススチールが望ましい。しかし、プラスチック等、他の材料を用いることも可能である。
【００１１】
基部２には、突起片２ｂが溶接等の手段によって固定され、この基部には、ほぼ垂直方向にアーム状の保持部３が結合され、保持部３の先端には治療器具類４が保持されている。治療器具類４としては、ファイバースコープを例示している。符号５は治療器具類４に接続されるファイバー類を示す。
【００１２】
上記の実施例においては、治療器具類４には、保持部３の先端近くに、カメラの雲台と同じ構造の取付台６が設けられ、ファイバースコープをいずれの方向にも向けられるようにして、視野の調整を可能にしている。すなわち、治療器具類４は、その取付位置が、口腔内の目的位置に対して、一定の位置関係になるように調整でき、かつ、ねじ締め等によってその位置を保持可能である。
【００１３】
また、治療器具類４としては、ファイバースコープのみではなく、顕微鏡や拡大鏡等の焦点距離を微調整し、且つ固定すべき器具も使用可能である。また、通常は治療台に設置されているライト類も、直接口腔内を照らすことで、患者が眩しさを感じず、術者も自身の影を気にすることがなくなる。又、ドレンパイプを固定することで、助手の手を借りずに治療中常に清潔な口腔を維持することができる。
さらに、ファイルやリーマといった切削器具も使用するので、基部２、突起２ｂ、保持部３等の各部材は、治療部位に切削加工等を施しても、その反力で位置ずれや変形を生じないような工夫が必要である。
【００１４】
そこで、各部材の結合部がずれないように、基部２と保持部３又は保持部３と治療器具類４の結合部を、あり溝とありキー、四角形の突起と凹部との嵌合、だぼピン、等々による結合とし、結合部位を正確に確保できるとともに、所望の剛性を確保できるようにしている。また、各部材の断面形状をＩ型やＬ型やＵ型或いは中空の円管等の曲がりにくく、剛性の大きい形状にするとよい。
【００１５】
基部２は自然な状態では図１（ｂ）に示すように、その幅ｄは歯牙よりも狭くなっている。そして、歯牙１の側方から根本近くの両隣の歯牙との隙間に挿入され、幅ｄがＤに拡大されたときの弾性力によって歯牙１にしっかりと把持され、固定される。図１（ｃ）は基部２を歯牙１に弾性保持させた状態を上から見た図であるが、基部２には保持部３や治療器具類４を取り付けていない。
【００１６】
上記の実施例において、基部２に取り付けられた歯科用治療器具類４は、基部２を固定した歯牙１自身を対象としているが、保持部３の形状を変更すれば、隣の歯牙や、２本となりの歯牙など任意の歯牙を観察したり、治療するための器具類を保持することもできるようになる。すなわち、人工歯根形成の場合など、歯牙の無い部位に医療行為を行う場合にも使用できる。
【００１７】
治療器具類４としてファイバースコープを取り付ければ、例えば、根管の形成状態など、目視では確認し難い部位の確認が容易にできるようになる。この場合、従来はファイバースコープを手で保持していたので、モニター画面が揺れて見にくかったが、本発明ではしっかり固定されるので、見やすい画面となる。
【００１８】
図２は、保持部３の他の実施例を示す。この保持部３０は、基部２に取り付けられる柱部３１とこの柱部に対してほぼ直角に取り付けられたアーム３２とを有する。アーム３２の柱部３１との結合部は、柱部３１を貫通する孔があり、この孔に回転自在なピニオン３２ａが設けられる。ピニオン３２ａは柱部３１に形成されたラック３１ａと噛み合っており、ピニオン３２ａの軸には、ハンドル３２ｂが取り付けられている。
【００１９】
したがって、ハンドル３２ｂを回転させると、ファイルなどの歯科用治療器具類４を柱部３１と平行な方向に進退させることができる。このような構成は、歯牙に垂直な穴を正確に開ける場合等に有効である。さらに、柱部３１と基部２との結合部に図１の取付台６を使用すれば、柱部３１を所望の方向に傾斜させることができ、治療器具類４を所望の方向に進退させて治療行為を行うことができるようになる。また、ハンドル３２ｂの回転を抑制するブレーキを設ければ、ハンドルは任意の位置で固定され、治療器具類４を任意の位置に保持することが可能となる。
【００２０】
図３は、歯牙に取り付ける基部の別の実施例である。この実施例に示す基部２０は、歯牙の上から被せるタイプである。すなわち、基部２０は、歯牙１の上を覆う板状の本体部２１と、この本体部２１と一体的に形成され、歯牙の側方を両側から弾性挟持する弾性片２２，２２とからなる。本体部２１には、取り付けた歯牙を治療するための孔２１ａが開けられている。また、基部２０には、図１の実施例と同様の突起２３を両側に一体的に設けている。この実施例の場合、突起２３を歯牙の両側に形成しているので、歯科用治療器具の保持が安定し易くなる。
【００２１】
図４は、本発明の第２実施例を示す。この実施例では、基部１２を患者の頭部１０に固定した例である。頭部１０に鉢巻き状に基部１２を巻き付け、側部で蝶ねじ１２ａにより締め付け固定する。基部１２には突起１２ｂを溶接等により固定し、ここにＬ型アーム状の保持部１３を固定し、保持部１３の先端に歯科用治療器具類１４を把持させている。突起１２ｂと保持部１３の結合箇所、保持部１３と器具類１４との結合箇所、また、保持部１３の断面構造には、第１実施例と同様のずれ防止構造や断面形状等が採用され、所望の剛性を確保できるようにしている。
【００２２】
この実施例の場合、歯科用治療器具類１４が口腔内の所望の位置に対して一定の位置関係を保つことができるが、頭部１０が位置決めの基準となるので、下顎の位置は確定できない。故に、目的位置としては、上顎側の任意の位置ということになる。
【００２３】
図４の実施例で、図１の取付台６や図２のラックとピニオンの構造を併用して、治療器具類４が保持部１３に沿って移動可能にしたり、保持部等の角度を調整可能なものとし、所望の長さ、角度を設定した後は、その長さや角度を保持できる構成とすれば、１つの保持部１３で、多様な歯科用治療器具類１４を、口腔内の任意の位置に対して一定の位置関係に保持したり、一定の軌跡に沿って口腔内で移動させることもできることになる。
【００２４】
特に、保持部１３に図２に示すようなラックとピニオン機構等を設けることで、器具類１４を正確に直進できるようにすれば、基部や保持部を大型に形成することができるので、人工歯根を形成する際のように、顎の骨に正確な穴を開けるドリル加工のような大きな力が加わる治療なども十分に行うことができる。
【００２５】
図４では頭部１０に基部１２を固定したが、顔部で固定することもでき、頭部と顔部の双方で支持する構成としてもよい。また、実施例では頭部や歯牙を把持したが、固定できるのであれば必ずしも把持する必要はなく、たとえば、左右の歯牙の間につっぱり棒のような基部を設置して、これに保持部や器具類を取り付ける構成にしたり、ベッドに窪みのようなものを形成し、ベッドに患者が寝て窪みに頭を置くと、窪みに置かれた頭部が固定されるようにし、基部１２をベッド１５に固定する、という構成も可能となる。また、下顎に基部を固定すれば、下顎内の任意の目的位置に対して器具類を一定の位置関係に保持することができる。
また、顕微鏡下で治療を行う際、一定の距離を保ちつつ移動することが可能なので、移動のたびに焦点を合わせる必要が無い。
【００２６】
【発明の効果】
以上に説明したように、本発明の歯科用治療器具類の保持装置によれば、基部と、該基部に形成されて歯科用治療器具類を保持する保持部とを有し、該保持部に保持された歯科用治療器具類が口腔内の目的位置に対して一定の位置関係に固定可能とした構成なので、熟練を要することなく、歯科用治療器具類を口腔内の目的位置に固定し、治療等を行うことができる。
【図面の簡単な説明】
【図１】本発明の歯科用治療器具類の保持装置の第１実施例を示す図で、（ａ）は装着状態を示す正面図、（ｂ）は基部の上面図、（ｃ）は基部を歯牙に装着した状態を示す上面図である。
【図２】保持部の他の実施例を示す図である。
【図３】歯牙に取り付ける基部の別の実施例を示す図である。
【図４】本発明の歯科用治療器具類の保持装置の第２実施例を示す図で、（ａ）は装着状態を示す側面図、（ｂ）は（ａ）のＢ方向から見た保持装置の図である。
【符号の説明】
１    歯牙
２，１２    基部
３，１３，３０    保持部
４，１４    歯科用治療器具類
【図１】
0004264857.tif 000002
【図２】
0004264857.tif 000003
【図３】
0004264857.tif 000004
【図４】
0004264857.tif 000005